(57)【要約】【課題】撮影を行なう際に被写体となる人物や物の背景の決定を支援することが出来るカメラを提供する。【解決手段】本発明に係るカメラは、東西南北を基準とする複数の方位の内、撮影方向を表わす撮影方位を検出する電子コンパス７及びカメラ制御部６を具えている。カメラ制御部６の内蔵メモリには、前記複数の方位について、各方位に予め対応づけられた所定の色及び／又は物品を表わす１或いは複数の撮影支援情報が格納されている。カメラ制御部６は、内蔵メモリに格納されている複数の撮影支援情報の中から電子コンパス７によって検出された撮影方位についての少なくとも１つの撮影支援情報を選択し、選択した撮影支援情報を報知する。【選択図】図１
2010118737.tif 000002
【特許請求の範囲】
【請求項１】
東西南北を基準として撮影方向を表わす撮影方位を検出する撮影方位検出手段と、
東西南北を基準とする１或いは複数の方位について夫々、予め対応づけられた撮影支援情報が格納されている情報格納手段と、
前記撮影方位検出手段によって検出された撮影方位に応じて、前記情報格納手段に格納されている撮影支援情報を報知する動作を行なう制御手段
とを具えているカメラ。
【請求項２】
東西南北を基準とする複数の方位の内、撮影方向を表わす撮影方位を検出する撮影方位検出手段と、
前記複数の方位について、各方位に予め対応づけられた所定の色及び／又は物品を表わす１或いは複数の撮影支援情報が格納されている情報格納手段と、
前記情報格納手段に格納されている複数の撮影支援情報の中から、前記撮影方位検出手段によって検出された撮影方位についての少なくとも１つの撮影支援情報を選択し、選択した撮影支援情報を報知する動作を行なう制御手段
とを具えているカメラ。
【請求項３】
前記制御手段は、ユーザ操作が行なわれたときに、少なくとも１つの撮影支援情報を選択して報知する前記動作を実行する請求項２に記載のカメラ。
【請求項４】
更に画像表示装置を具え、前記情報格納手段には各方位について１つの撮影支援情報が格納されており、各撮影支援情報は、その撮影支援情報が対応づけられている１つの方位についての色及び／又は物品を表わすと共に前記１つの方位を中心とする複数の方位についての色及び／又は物品を表わす画像情報を有し、前記制御手段は、前記撮影方位検出手段によって検出された撮影方位についての１つの撮影支援情報を選択し、選択した撮影支援情報に含まれる画像情報を、前記画像表示装置に表示することによって、該撮影支援情報を報知する請求項２又は請求項３に記載のカメラ。
【請求項５】
各撮影支援情報に含まれる画像情報は、その撮影支援情報が対応づけられている１つの方位及び該方位を中心とする複数の方位についての色及び／又は物品を東西南北の配列順序に従って配列して構成され、且つ前記１つの方位についての色及び／又は物品が時計の零時方向の位置に配置された画像を表わしている請求項４に記載のカメラ。
【請求項６】
前記制御手段は、
カメラ本体が基本姿勢及び基本姿勢から約９０度回転した回転姿勢の何れの姿勢をとっているかを判別する姿勢判別手段と、
前記姿勢判別手段によってカメラ本体が回転姿勢をとっていると判別された場合に、前記選択した撮影支援情報に含まれる画像情報に対して約９０度回転させる処理を施す回転処理手段
前記回転処理手段から得られる画像情報を前記画像表示装置に表示する表示処理手段
とを具えている請求項５に記載のカメラ。
【発明の詳細な説明】
【技術分野】
【０００１】
本発明は、撮影支援機能を有するデジタルカメラ等のカメラに関するものである。
【背景技術】
【０００２】
撮影支援機能を有するカメラとして、種々のカメラが提案されている。
例えば特許文献１に記載のカメラは、撮影地点データを登録するデータ登録手段と、撮影地点データに基づいて所定の撮影地点に撮影者を誘導する撮影地点誘導手段とを具えており、一般の撮影者であっても、プロのカメラマンのみが知り得るような絶好の撮影地点で写真撮影を行なうことが出来る。
【０００３】
一方で、デジタルカメラによって撮影された画像に基づいて画像占いの結果を表示部に表示する電子占い装置が提案されている(特許文献２参照)。
【特許文献１】特開２００２−２１４６８１号公報
【特許文献２】特開２００２−１５７５８４号公報
【発明の開示】
【発明が解決しようとする課題】
【０００４】
ところで、従来のカメラを用いて記念撮影を行なう際には、何を背景に撮影を行なうか迷うことがあった。
そこで本発明の目的は、撮影を行なう際に被写体となる人物や物の背景の決定を支援することが出来るカメラを提供することである。
【課題を解決するための手段】
【０００５】
本発明に係るカメラは、
東西南北を基準とする複数の方位の内、撮影方向を表わす撮影方位を検出する撮影方位検出手段と、
前記複数の方位について、各方位に予め対応づけられた所定の色及び／又は物品を表わす１或いは複数の撮影支援情報が格納されている情報格納手段と、
前記情報格納手段に格納されている複数の撮影支援情報の中から、前記撮影方位検出手段によって検出された撮影方位についての少なくとも１つの撮影支援情報を選択し、選択した撮影支援情報を報知する動作を行なう制御手段
とを具えている。
【０００６】
例えば“風水”と称される思想によれば、東西南北を基準とする全ての方位についてそれぞれ縁起の良い色や物品が割り当てられている。
そこで上記本発明に係るカメラにおいては、東西南北を基準とする複数の方位について、例えば風水に従って各方位に予め対応づけられた所定の色及び／又は物品を表わす１或いは複数の撮影支援情報が情報格納手段に格納されており、撮影時には、撮影方位についての色及び／又は物品を表わす撮影支援情報が報知される。従って、該撮影支援情報を参考にして、被写体となる人物や物の背景を決定することが出来る。
【０００７】
具体的構成において、前記制御手段は、ユーザ操作が行なわれたときに、少なくとも１つの撮影支援情報を選択して報知する前記動作を実行する。該具体的構成によれば、撮影者は所定の操作を行なうことによって、撮影方位に対応づけられている撮影支援情報を報知する動作を実行させることが出来る。
【０００８】
又、具体的構成において、更に画像表示装置を具え、前記情報格納手段には各方位について１つの撮影支援情報が格納されており、各撮影支援情報は、その撮影支援情報が対応づけられている１つの方位についての色及び／又は物品を表わすと共に前記１つの方位を中心とする複数の方位についての色及び／又は物品を表わす画像情報を有し、前記制御手段は、前記撮影方位検出手段によって検出された撮影方位についての１つの撮影支援情報を選択し、選択した撮影支援情報に含まれる画像情報を、前記画像表示装置に表示することによって、該撮影支援情報を報知する。
【０００９】
上記具体的構成においては、撮影方位についての色及び／又は物品だけでなく該方位を中心とする他の複数の方位についての色及び／又は物品をも表わす画像情報が画像表示装置に表示されるので、撮影者は該画像情報を参考にして、被写体となる人物や物の背景だけでなく、被写体となる人物の左右に配置する物品や複数の人物を撮影する際に人物が並ぶ順序をも決定することが出来る。
【００１０】
更に具体的構成において、各撮影支援情報に含まれる画像情報は、その撮影支援情報が対応づけられている１つの方位及び該方位を中心とする複数の方位についての色及び／又は物品を東西南北の配列順序に従って配列して構成され、且つ前記１つの方位についての色及び／又は物品が時計の零時方向の位置に配置された画像を表わしている。従って、画像表示装置に表示される画像が表わす方位と被写体となる人物や物を中心とする方位とが合致することとなり、被写体となる人物や物の周囲にどの様な色や物品を配置すればよいか容易に認識することが出来る。
【００１１】
更に又、具体的構成において、前記制御手段は、
カメラ本体が基本姿勢及び基本姿勢から約９０度回転した回転姿勢の何れの姿勢をとっているかを判別する姿勢判別手段と、
前記姿勢判別手段によってカメラ本体が回転姿勢をとっていると判別された場合に、前記選択した撮影支援情報に含まれる画像情報に対して約９０度回転させる処理を施す回転処理手段
前記回転処理手段から得られる画像情報を前記画像表示装置に表示する表示処理手段
とを具えている。
【００１２】
上記具体的構成によれば、カメラ本体が基本姿勢から約９０度回転した回転姿勢をとっている場合であっても、画像表示装置に表示される画像が表わす方位と被写体となる人物や物を中心とする方位とが合致することとなり、被写体となる人物や物の周囲にどの様な色や物品を配置すればよいか容易に認識することが出来る。
【発明の効果】
【００１３】
本発明に係るカメラによれば、撮影方位に対応づけられている色及び／又は物品を表わす撮影支援情報が報知されるので、該撮影支援情報を参考にして、被写体となる人物や物の背景を決定することが出来る。
【発明を実施するための最良の形態】
【００１４】
以下、本発明の実施の形態につき、図面に沿って具体的に説明する。
本発明に係るデジタルカメラは、図１に示す如く、撮影レンズ、ＣＣＤ等からなるイメージセンサ、及びイメージセンサから得られる画像信号に所定の信号処理を施す信号処理回路を含む撮影部(１)と、撮影部(１)から得られる画像信号が格納される撮影画像メモリ(２)と、撮影部(１)によって撮影された画像に付加される付加画像を表わす画像信号が格納される付加画像メモリ(３)と、撮影画像メモリ(２)から読み出された画像信号及び付加画像メモリ(３)から読み出された画像信号から表示画像を表わす表示画像信号を作成する表示画像作成部(４)と、前記表示画像を表示する表示部(５)とを具えている。
前記付加画像メモリ(３)及び前記表示画像作成部(４)には、カメラ全体の動作を制御するカメラ制御部(６)が接続されており、該カメラ制御部(６)には、東西南北を基準とする３６０度の全方位の内、撮影方向を表わす撮影方位を検出する電子コンパス(７)と、カメラ本体の光軸に平行な軸を中心とする回転角度を検出するジャイロスコープ(８)と、後述の幸運色アイコンを表示させる際に操作すべき幸運色アイコン表示キーを含む操作キー部(９)とが接続されている。
【００１５】
本発明に係るデジタルカメラは、撮影方位に応じた幸運色アイコンを表示部(５)に表示する機能を有しており、カメラ制御部(６)の内蔵メモリには、東西南北を基準とする３６０度の全方位について、各方位と対応づけられた幸運色アイコンを表わすアイコン画像情報が格納されている。
図３は、北の方位と対応づけられているアイコン画像情報が表わす幸運色アイコンを表わしている。該アイコンは、全方位を複数(図示する例では８つ)の方位に分けて、各方位について“風水”と称される思想に従った縁起の良い色を表わしており、複数の方位について縁起の良い色が東西南北の配列順序に従ってリング状に配列されると共に、北の方位について縁起の良い色が時計の零時方向の位置に配置されている。尚、各方位について縁起の良い色は各方位に割り当てられた領域を各色で表示することによって表わされる。又、北以外の他の方位と対応づけられているアイコン画像情報が表わす幸運色アイコンの図示は省略するが、それらの幸運色アイコンにおいても夫々、そのアイコン画像情報に対応づけられている方位について縁起の良い色が時計の零時方向の位置に配置されている。
【００１６】
上記本発明に係るデジタルカメラは、シャッターボタンが押下されたときに撮影部(１)によって撮影された画像を記録メディアに記録する撮影モードの設定が可能であって、撮影者が撮影を行なうべく撮影モード設定操作を行なうとカメラ本体が撮影モードに設定される。
カメラ本体が撮影モードに設定されている状態では、図１に示す撮影部(１)から得られる画像信号は、撮影画像メモリ(２)に一旦格納された後、表示画像作成部(４)に供給される。又、カメラ制御部(６)は、ストロボのオン／オフ情報、撮影可能な枚数を表わす情報、モード設定情報等のカメラ情報に基づいて付加画像信号を作成し、作成した付加画像信号を付加画像メモリ(３)に一旦格納した後、表示画像作成部(４)に供給する。表示画像作成部(４)は、撮影画像メモリ(２)から供給される画像信号と付加画像メモリ(３)から供給される画像信号とから表示画像信号を作成し、作成した表示画像信号を表示部(５)に供給する。この結果、撮影部(１)によって撮影される画像(スルー画)がリアルタイムで表示部(５)に表示されると共に、カメラ情報が表示部(５)に表示されることになる。
【００１７】
上述の如くカメラ本体が撮影モードに設定されている状態で、操作キー部(９)に含まれる幸運色アイコン表示キーが押下されると、カメラ制御部(６)は、電子コンパス(７)から得られる方位検出信号が表わす方位に対応づけられているアイコン画像情報を内蔵メモリから読み出し、読み出したアイコン画像情報を付加画像信号として付加画像メモリ(３)に一旦格納する。このとき、ジャイロスコープ(８)から得られる回転角度検出信号に基づいてカメラ本体が横の姿勢及び縦の姿勢の何れの姿勢をとっているかを判別し、カメラ本体が横の姿勢をとっている場合には、内蔵メモリから読み出したアイコン画像情報を回転処理を施すことなく付加画像メモリ(３)に格納する。これに対し、カメラ本体が縦の姿勢をとっている場合には、内蔵メモリから読み出したアイコン画像情報を９０度回転させる処理を施して付加画像メモリ(３)に格納する。
【００１８】
上述の如く付加画像メモリ(３)に格納された付加画像信号は、表示画像作成部(４)に供給される。表示画像作成部(４)は、撮影画像メモリ(２)から供給される画像信号と付加画像メモリ(３)から供給される画像信号とから表示画像信号を作成し、作成した表示画像信号を表示部(５)に供給する。この結果、図４に示す如く、撮影部(１)によって撮影される画像(スルー画)がリアルタイムで表示部(５)に表示されると共に、撮影方位に応じた幸運色アイコン(50)が表示部(５)に表示されることになる。例えば、撮影方位が北である場合には、図３に示す幸運色アイコンが表示部(５)に表示される。該幸運色アイコンにおいては、図示の如く、複数の方位について縁起の良い色が東西南北の配列順序に従ってリング状に配列されると共に、北の方位について縁起の良い色が時計の零時方向の位置に配置されているので、幸運色アイコンが有する方向性とスルー画が有する方向性とが合致することになる。又、カメラ本体が縦の姿勢をとっている場合であっても、上述の如く内蔵メモリから読み出されたアイコン画像情報は回転処理を受けているので、幸運色アイコンが有する方向性とスルー画が有する方向性とが合致することになる。
【００１９】
図２は、撮影モードにおける表示動作を表わしており、先ずステップＳ１にて、撮影部は被写体像を取り込み、ステップＳ２では、撮影部から得られる画像信号が撮影画像メモリに格納される。続いてステップＳ３では、カメラ制御部は幸運色アイコン表示キーが押下されたか否かを判断し、ノーと判断された場合は、ステップＳ４にて、カメラ制御部は、上述の如くカメラ情報に基づいて付加画像信号を作成して付加画像メモリに格納する。次にステップＳ８にて、表示画像作成部は、撮影画像メモリに格納されている画像信号と付加画像メモリに格納されている画像信号から表示画像信号を作成して表示部に供給した後、ステップＳ１に戻る。この結果、撮影部によって撮影された画像とカメラ情報とが表示部に表示されることになる。
【００２０】
これに対し、ユーザにより幸運色アイコン表示キーが押下されてステップＳ３にてイエスと判断されたときは、ステップＳ５にて、カメラ制御部は電子コンパスから方位検出信号を取得した後、ステップＳ６にて、カメラ制御部はジャイロスコープから回転角度検出信号を取得する。続いてステップＳ７では、カメラ制御部は、ステップＳ５にて取得した方位検出信号に応じたアイコン画像情報を内蔵メモリから読み出した後、読み出したアイコン画像情報を付加画像信号として付加画像メモリに格納する。ここで、ステップＳ６にて取得した回転角度信号に基づいてカメラ本体が横の姿勢をとっていると判別した場合には、読み出したアイコン画像情報を回転処理を施すことなく付加画像メモリに格納する一方、カメラ本体が縦の姿勢をとっていると判別した場合には、読み出したアイコン画像情報を回転処理を施して付加画像メモリに格納する。次にステップＳ８では、表示画像作成部は、撮影画像メモリに格納されている画像信号と付加画像メモリに格納されている画像信号から表示画像信号を作成して表示部に供給した後、ステップＳ１に戻る。この結果、図４に示す如く、撮影部によって撮影された画像と幸運色アイコン(50)とが表示部(５)に表示されることになる。
【００２１】
上記本発明に係るデジタルカメラにおいては、カメラ本体が撮影モードに設定されている状態で幸運色アイコン表示キーを押下すれば、全方位についてそれぞれ縁起の良い色を表わす図３に示す如き幸運色アイコンが、被写体となる人物や物を含むスルー画と共に表示部(５)に表示される。このとき、カメラ本体が横の姿勢及び縦の姿勢の何れの姿勢をとっている場合であっても、幸運色アイコンが有する方向性とスルー画が有する方向性とが合致しているので、該アイコンから被写体となる人物や物の周囲に何色を配置すればよいか直観的に認識することが出来、人物の背景や服装、人物の左右に配置する物品、人物が並ぶ順序等を決定することが出来る。
図３に示す如く、東の方位については緑色、北の方位については水色、南の方位については赤色が縁起の良い色であるので、例えば撮影方位が東である場合には、図４に示す如く人物の後方に緑色の山や木、撮影者から見て左側に水色の池、右側に赤色の鳥居が配置される様、背景を決定することが出来る。又、複数の人物を撮影する場合には、撮影者から見て左側に水色の服を着た人物、右側に赤色の服を着た人物が位置する様、人物が並ぶ順序を決定することが出来る。
【００２２】
尚、本発明の各部構成は上記実施の形態に限らず、特許請求の範囲に記載の技術的範囲内で種々の変形が可能である。
例えば上記実施の形態においては、幸運色アイコン(50)を表示部(５)に表示することによって縁起の良い色を報知しているが、メッセージを表示することによって報知を行なうことも可能である。又、スピーカを配備して音声による報知を行なうことも可能である。
又、上記実施の形態においては、全ての方位にそれぞれ割り当てられている色を表わす図３に示す幸運色アイコンを表示しているが、各方位に割り当てられている色のみを表わす画像を表示することも可能である。
又、“風水”に限らず、その他の種々の思想に従った縁起の良い色及び／又は物品を報知することも可能である。
又、上記実施の形態においては、幸運色アイコン表示キーが押下されたときに幸運色アイコンを表示しているが、撮影モードが設定されている状態で常に幸運色アイコン表示キーを表示する構成を採用することも可能である。
【００２３】
又、上記実施の形態においては、各方位について１つの撮影支援情報(アイコン画像情報)が内蔵メモリに格納されており、複数の撮影支援情報の中から撮影方位に応じた１つの撮影支援情報を選択しているが、各方位について、複数の撮影時刻等の他の情報にそれぞれ対応づけられた複数の撮影支援情報を内蔵メモリに格納しておき、撮影方位と撮影時刻等の他の情報とに応じた１つの撮影支援情報を選択する構成を採用することも可能である。
更に、特定の方位についてのみ撮影支援情報を内蔵メモリに格納しておき、該撮影支援情報を、撮影方位に応じて向き、大きさ或いは形を変更して報知することも可能である。例えば、北の方位について図３に示す幸運色アイコンを表わすアイコン画像情報が内蔵メモリに格納されている構成においては、撮影方位が南の方位である場合には、図３に示す幸運色アイコンを１８０度回転させて、南の方位に割り当てられた領域を大きくして、或いは南の方位に割り当てられた領域の形を変更して、表示することが出来る。
更に又、特定の方位についてのみ撮影支援情報を内蔵メモリに格納しておき、撮影方向に応じて該撮影支援情報の一部を報知することも可能である。例えば、北の方位について図３に示す幸運色アイコンを表わすアイコン画像情報が内蔵メモリに格納されている構成においては、撮影方位が南の方位である場合には、図３に示す幸運色アイコンの内、南の方位に割り当てられている領域のみ、或いは南を中心とする複数の方位に割り当てられている領域(南を含む東から西に亘る領域)のみを表示することが出来る。
【図面の簡単な説明】
【００２４】
【図１】本発明に係るデジタルカメラの構成を示すブロック図である。
【図２】上記デジタルカメラの撮影モードにおける表示動作を示すフローチャートである。
【図３】表示部に表示される幸運色アイコンの一例を示す拡大図である。
【図４】撮影モードにおいて表示部に表示される画像例を示す図である。
【符号の説明】
【００２５】
(１)  撮影部
(２)  撮影画像メモリ
(３)  付加画像メモリ
(４)  表示画像作成部
(５)  表示部
(50)  幸運色アイコン
(６)  カメラ制御部
(７)  電子コンパス
(８)  ジャイロスコープ
(９)  操作キー部
【図１】
2010118737.tif 000003
【図２】
2010118737.tif 000004
【図３】
2010118737.tif 000005
【図４】
2010118737.tif 000006